(57)【要約】【課題】回路規模を小さくすることができ、コストの低減化を図ることが可能となるテレビカメラ用大型レンズの制御装置を提供する。【解決手段】テレビカメラ用大型レンズの制御装置において、前記制御装置における制御用回路基板が、前記大型レンズ専用の制御用回路基板と、テレビカメラ用ハンディレンズの制御装置における制御用回路基板とを備え、前記ハンディレンズの制御用回路基板に形成された回路部が、前記大型レンズを機能させるための制御回路部として用いられるように構成する。【選択図】            図１
2005266717.tif 000002
【特許請求の範囲】
【請求項１】
テレビカメラ用大型レンズの制御装置において、
前記制御装置における制御用回路基板が、前記大型レンズ専用の制御用回路基板と、テレビカメラ用ハンディレンズの制御装置における制御用回路基板とを備え、前記ハンディレンズの制御用回路基板に形成された回路部が、前記大型レンズを機能させるための制御回路部として用いられるように構成されていることを特徴とするテレビカメラ用大型レンズの制御装置。
【請求項２】
前記ハンディレンズの回路部が、ズーム制御回路部とフォーカス制御回路部を備え、該ズーム制御回路部が前記大型レンズのＩＥ制御回路部として用いられ、該フォーカス制御回路部が前記大型レンズのマクロ制御回路部として用いられていることを特徴とする請求項１に記載のテレビカメラ用大型レンズの制御装置。
【請求項３】
前記ハンディレンズの回路部が、ズーム制御回路部とフォーカス制御回路部を備え、該ズーム制御回路部の出力電流が前記大型レンズ専用の制御用回路基板に形成されたズーム電流増幅手段を介して大型レンズのズーム駆動に用いられ、該フォーカス制御回路部の出力電流が前記大型レンズ専用の制御用回路基板に形成されたフォーカス電流増幅手段を介して大型レンズのフォーカス駆動に用いられていることを特徴とする請求項１に記載のテレビカメラ用大型レンズの制御装置。
【発明の詳細な説明】
【技術分野】
【０００１】
本発明は、放送局等におけるテレビカメラに使用されるテレビカメラ用大型レンズの制御装置に関するものである。
【背景技術】
【０００２】
従来、放送局等において使用されるテレビカメラには、例えば特許文献１あるいは特許文献２に開示されているようなカメラシステムが用いられており、これらのカメラシステムにおいて用いられるテレビカメラ用レンズは、その外観・用途・性能から、ハンディレンズと大型レンズの２種類に分類することができる。ハンディレンズは、主にニュース取材などで使用され、大型レンズは野球などのスポーツ中継に使用されることが多い。
【０００３】
まず、これらの従来例におけるテレビカメラ用レンズのうちのハンディレンズについて、図３を用いて説明する。図３はテレビカメラ用ハンディレンズの一般的な構成を示す図であり、図３において１０２は不図示のアイリス部を駆動するためのハンディレンズ用アイリスモータ、１０８は不図示のズーム部を駆動するためのハンディレンズ用ズームモータである。また、５はハンディレンズ用ズームモータ１０８を制御するためのハンディレンズ用ズーム制御回路部、１１０は不図示のフォーカス部を駆動するためのハンディレンズ用フォーカスモータ、７はハンディレンズ用フォーカスモータ１１０を制御するためのハンディレンズ用フォーカス制御回路部である。また、１２３はテレビカメラ用ハンディレンズ、１２４はハンディタイプのテレビカメラである。
【０００４】
つぎに、従来例のテレビカメラ用大型レンズについて、図４を用いて説明する。図４はテレビカメラ用大型レンズの一般的な構成を示す図であり、図４において４０１はアイリス・ＩＥ等制御用ＣＰＵ、４０２はアイリス制御回路部、４０３はＩＥ制御回路部、４０４はマクロ制御回路部、４０５はタリー制御回路部である。また、４０６はズーム・フォーカス制御用ＣＰＵ、４０７はズーム制御回路部、４０８はフォーカス制御回路部である。また、４０９はアイリスモータ、４１０はＩＥモータ、４１１はマクロモータ、４１２はズームモータ、４１３はフォーカスモータである。
また、４１４はアイリスおよびＩＥ、マクロ等を制御するための第１の大型レンズ専用基板であり、４１５はズームおよびフォーカスを制御するための第２の大型レンズ専用基板である。また、４１６は大型ズームレンズである。
このように従来例のテレビカメラ用大型レンズにおいては、大型レンズの制御装置における制御用回路基板が、上記した第１の大型レンズ専用基板、第２の大型レンズ専用基板等の１枚以上の大型レンズ専用基板によって構成されていた。
【特許文献１】特開平０７−０９９５９９号公報
【特許文献２】特開平０６−０８６１４６号公報
【発明の開示】
【発明が解決しようとする課題】
【０００５】
上記したように、従来例のテレビカメラ用大型レンズにおいては、大型レンズの制御装置における制御用回路基板が、１枚以上の大型レンズ専用基板によって構成されていた。
しかしながら、テレビカメラ用大型レンズは小型で価格も比較的安価なハンディレンズに対して、生産台数が限られている上に高性能・高機能を実現するための回路規模も大きいことから、大型レンズ専用基板の製作価格が非常に高く、コスト面において課題を有していた。
【０００６】
そこで、本発明は、上記課題に鑑み、回路規模を小さくすることができ、コストの低減化を図ることが可能となるテレビカメラ用大型レンズの制御装置を提供することを目的とするものである。
【課題を解決するための手段】
【０００７】
本発明は、以下のように構成したテレビカメラ用大型レンズの制御装置を提供するものである。
すなわち、本発明のテレビカメラ用大型レンズの制御装置は、該制御装置における制御用回路基板が、前記大型レンズ専用の制御用回路基板と、テレビカメラ用ハンディレンズの制御装置における制御用回路基板とを備え、前記ハンディレンズの制御用回路基板に形成された回路部が、前記大型レンズを機能させるための制御回路部として用いられるように構成したものである。
【発明の効果】
【０００８】
本発明によれば、回路規模を小さくすることができ、コストの低減化を図ることが可能となるテレビカメラ用大型レンズの制御装置を実現することができる。
【発明を実施するための最良の形態】
【０００９】
本発明を実施するための最良の形態を、以下の実施例により説明する。
【実施例】
【００１０】
［実施例１］
図１に示す本発明の実施例におけるテレビカメラ用大型レンズの制御装置は、上記した本発明のテレビカメラ用大型レンズの制御装置の構成を適用したものである。
つぎに、これらについて、図１により、更に具体的に説明する。
図１において、２１はハンディレンズ用基板、２２は大型レンズ専用のオプション基板であり、本実施例においてはレンズの制御装置における制御用回路基板が、これらのハンディレンズ用基板２１と大型レンズ専用のオプション基板２２によって構成されている。
【００１１】
ハンディレンズ用基板２１には、図３の従来例で説明したアイリス制御回路部３、ハンディレンズ用ズーム制御回路部５、ハンディレンズ用フォーカス制御回路部７が形成されており、これらがつぎのように大型レンズを機能させるための制御回路部として用いられている。
すなわち、１はズーム・フォーカス・アイリス等の制御信号を演算するためのＣＰＵ、２は不図示のアイリス部を駆動するための大型レンズ用アイリスモータであり、この大型レンズ用アイリスモータ２はアイリス制御回路部３によって駆動制御される。
また、４は不図示のＩＥ部を駆動するための大型レンズ用ＩＥモータであり、本実施例においては大型レンズ用ＩＥモータ４は、ハンディレンズ用ズーム制御回路部５によって駆動制御されるように構成されている。すなわち、ここではハンディレンズ用ズーム制御回路部５が大型レンズ用ＩＥモータ４を制御するためのＩＥ制御部を構成している。
また、６は不図示のマクロ部を駆動するための大型レンズ用マクロモータであり、本実施例においては大型レンズ用マクロモータ６は、ハンディレンズ用フォーカス制御回路部７によって駆動制御されるように構成されている。すなわち、ここではハンディレンズ用フォーカス制御回路部７が大型レンズ用マクロモータ６を制御するためのマクロ制御部を構成している。
【００１２】
８は不図示のズーム部を駆動するための大型レンズ用ズームモータ、９は大型レンズ用ズームモータ８を制御するための大型レンズ用ズーム制御回路部、１０は不図示のフォーカス部を駆動するための大型レンズ用フォーカスモータ、１１は大型レンズ用フォーカスモータ１０を制御するための大型レンズ用フォーカス制御回路部である。また、１２は不図示のタリー部の制御を行うためのタリー制御回路部である。
本実施例においては、これらの大型レンズ用ズーム制御回路部９、大型レンズ用フォーカス制御回路部１１、タリー制御回路部１２が、大型レンズ専用のオプション基板２２に形成されている。
また、２３は交換式のテレビカメラ用大型ズームレンズ、２４はテレビカメラ用大型ズームレンズ２３に電源を供給するための大型テレビカメラである。
【００１３】
テレビカメラ用ハンディレンズは、レンズを保持するためのドライブユニット内にズームおよびフォーカス、アイリスモータを収納しなければならないという制約があり、あまり大きなモータは使用できない。さらにハンディレンズを取付けるハンディタイプのテレビカメラは電流供給能力が大きくないために、ズーム用およびフォーカス用のモータ駆動電流をあまり大きくできない。
一方、大型レンズは、ハンディレンズのようにモータの大きさに対する制約は厳しくない上、大型レンズを取り付ける大型テレビカメラの電流供給能力が大きいので、モータ駆動電流もハンディレンズに比べるとかなり大きくすることが可能である。
【００１４】
このようなことから本実施例では、大型レンズ用ズームモータ８および大型レンズ用フォーカスモータ１０をそれぞれ大電流出力が可能な大型レンズ用ズーム制御回路部９および大型レンズ用フォーカス制御回路部１１で駆動・制御している。このため、ハンディレンズ用基板２１に構成しているハンディレンズ用ズーム制御回路部５およびハンディレンズ用フォーカス制御回路部７は、不図示のズーム部およびフォーカス部を駆動する必要が無くなる。
【００１５】
そこで、ハンディレンズ用ズーム制御回路部５を、その構成および消費電流が同等で大型レンズ特有の機能であるＩＥ機能のＩＥ制御回路部として使用する。またハンディレンズ用フォーカス制御回路部７を大型レンズ特有の機能であるマクロ機能のマクロ制御回路部として使用する。このように大型レンズ特有の機能であるＩＥ機能およびマクロ機能の制御を、ハンディレンズ用基板２１に構成されているハンディレンズ用ズーム制御回路部５およびハンディレンズ用フォーカス制御回路部７で行うことにより、大型レンズ専用オプション基板２２の回路規模を小さくすることが可能になる。
【００１６】
［実施例２］
本発明を図２に図示の実施例に基づいて詳細に説明する。
図２は本実施例の構成図を示し、図１と同じ構成要素には図１と同じ符号を付した。２１３はハンディレンズ用ズーム制御回路部５の出力を増幅して、ズームモータ８を駆動するズーム電流増幅部、２１４はハンディレンズ用フォーカス制御回路部７の出力を増幅して、フォーカスモータ１０を駆動するフォーカス電流増幅部、２１５はＩＥモータ４を制御するためのＩＥ制御回路部、２１６はマクロモータ６を制御するためのマクロ制御回路部である。
【００１７】
本実施例では、ハンディレンズ用ズーム制御回路部５の出力電流を大型レンズ専用のオプション基板２２２上のズーム電流増幅部２１３で増幅して、ズームモータ８を駆動することにより、大型レンズのズーム部を高速で駆動・制御することを可能としている。フォーカス部も同様に、ハンディレンズ用フォーカス制御回路部７の出力電流を大型レンズ専用のオプション基板２２２上のフォーカス電流増幅部２１４で増幅し、フォーカスモータ１０を駆動することにより、大型レンズのフォーカス部を高速で駆動・制御することを可能としている。
【００１８】
このようにハンディレンズ用ズーム制御回路部５およびハンディレンズ用フォーカス制御回路部７を用いて、ズーム電流増幅部２１３およびフォーカス電流増幅部２１４を大型レンズ専用オプション基板に構成することにより、大型レンズ専用オプション基板の回路規模を小さくすることが可能になる。
【図面の簡単な説明】
【００１９】
【図１】本発明の実施例１におけるテレビカメラ用大型レンズの制御装置の構成を示す図。
【図２】本発明の実施例１におけるテレビカメラ用大型レンズの制御装置の構成を示す図。
【図３】従来例におけるテレビカメラ用ハンディレンズの制御装置の一般的な構成を示す図。
【図４】従来例におけるテレビカメラ用大型レンズの制御装置の一般的な構成を示す図。
【符号の説明】
【００２０】
１：ＣＰＵ
２：大型レンズ用アイリスモータ
３：アイリス制御回路部
４：ＩＥモータ
５：ハンディレンズ用ズーム制御回路部
６：マクロモータ
７：ハンディレンズ用フォーカス制御回路部
８：大型レンズ用ズームモータ
９：大型レンズ用ズーム制御回路部
１０：大型レンズ用フォーカスモータ
１１：大型レンズ用フォーカス制御回路部
１２：タリー制御回路部
２１：ハンディレンズ用基板
２２：大型レンズ専用オプション基板
２３：テレビカメラ用大型ズームレンズ
２４：大型テレビカメラ
２１３：ズーム電流増幅部
２１４：フォーカス電流増幅部
２１５：ＩＥ制御回路部
２１６：マクロ制御回路部
２２２：大型レンズ専用オプション基板
４１５：大型レンズ専用基板２
４１６：大型ズームレンズ
【図１】
2005266717.tif 000003
【図２】
2005266717.tif 000004
【図３】
2005266717.tif 000005
【図４】
2005266717.tif 000006